(57)【要約】【課題】一対の調湿素子Ｅを備え、吸湿剤による水分の吸着と脱離を交互に実行して、所定の動作を継続的する空調システムをコンパクト且つ合理的な配置を有する装置とする。【解決手段】  空調システム１００を構成する胴１０１内に、交差通路を成す調湿部と冷却部とを備えた一対の調湿素子Ｅを配置し、胴１０１内に、調湿素子Ｅを介する交差通路を構成して、一方の通路を給気通路とし、他方の通路を排気通路とし、調湿部入口Ｗｉｎ、調湿部出口Ｗｏｕｔ、冷却部入口Ｃｉｎ、冷却部出口Ｃｏｕｔに繋がる通路にダンパーｄ１〜ｄ１０を設け、ダンパーｄ１〜１０より調湿素子Ｅ側の領域を一対の調湿素子Ｅに対応して分割する。【選択図】図２
2018169055.tif 000002
【特許請求の範囲】
【請求項１】
吸湿剤を内部に備え、通過する空気が有する水分を吸着又は通過する空気に水分を脱離する調湿部と、前記調湿部と熱交換可能に構成され、通過する冷却用空気にて前記調湿部を冷却する冷却部とを夫々有する一対の調湿素子を備え、
室外空間から取り込んだ室外空気を室内空間へ供給する通路を給気通路とし、
室内空間から取り出した室内空気を室外空間へ排気する通路を排気通路とし、
室外空間から取り込んだ室外空気を前記調湿部に通過させ、調湿部通過後の室外空気を室外空間へ排気する通路を室外空気排気循環通路として形成可能に構成され、
前記一対の調湿素子間で、
一方の調湿素子の吸湿剤が、調湿部を通過する空気から水分を吸着する除湿動作と、他方の調湿素子の吸湿剤が、調湿部を通過する空気に水分を脱離する再生動作とを、交互に繰り返す空調システムであって、
前記調湿素子が平面視で概略六角形状を有し、
対向する一対の辺に位置する側壁が閉鎖壁として構成され、
残余の四辺に関し、対向する一対の辺が調湿素子の厚み方向において交互に開口されて、厚み方向に交互に前記調湿部と前記冷却部として構成され、
前記調湿素子それぞれに、
前記給気通路の入口から調湿部入口に流れる空気の量を調整する第１調整手段、
前記給気通路の入口から昇温状態で調湿部入口に流れる空気の量を調整する第２調整手段、
調湿部出口から給気通路の出口に流れる空気の量を調整する第３調整手段、
調湿部出口から排気通路の出口に流れる空気の量を調整する第４調整手段、
排気通路の入口から冷却部入口に流れる空気の量を調整する第５調整手段を備え、
六角形状に形成される前記調湿素子が、胴体の内部に素子厚み方向を胴体高さ方向に合わせて位置を異ならせて配置されるとともに、前記調湿部入口と前記冷却部出口とを区画する厚み方向端縁辺、及び、前記調湿部出口と前記冷却部入口とを区画する厚み方向端縁辺から、それぞれ胴体の長手方向に延出され、胴体内を前記給気通路と前記排気通路とを区画する長手方向区画壁が設けられ、
前記第１調整手段から前記第５調整手段の胴内配置位置より前記調湿素子側の領域が、高さ方向区画面により、調湿素子それぞれに対応して分割形成されている空調システム。
【請求項２】
前記給気通路が前記第１調整手段及び前記第３調整手段を開状態として形成されるとともに、
前記排気通路が前記第５調整手段を開状態として形成され、
調湿部を流れる空気を除湿する除湿動作が実行される請求項１記載の空調システム。
【請求項３】
前記室外空気排気循環通路が前記第２調整手段及び前記第４調整手段を開状態とし、前記第３調整手段を閉状態として形成され、
水分を吸着した状態にある吸湿剤が水分を脱離して再生される再生動作が実行される請求項１又は２記載の空調システム。
【請求項４】
一方の調湿素子において、当該調湿素子の調湿部を介する室外空気排気循環通路と、当該調湿素子の冷却部を介する前記排気通路とが形成され、
他方の調湿素子において、当該調湿素子の調湿部を介する給気通路が形成されて、
他方の調湿素子が再生動作する状態で、室内空間を加湿する再生・加湿運転が実行される請求項１〜３の何れか一項記載の空調システム。
【請求項５】
調湿素子の前記閉鎖壁と前記胴体の内壁との間に、前記調湿部出口から前記排気通路の出口に通じる通路が設けられている請求項１〜４の何れか一項記載の空調システム。
【請求項６】
前記排気通路の入口から調湿部入口に流れる空気の量を調整する第６調整手段を備え、
当該第６調整手段より調湿部入口側の領域が、高さ方向区画面により、調湿素子それぞれに対応して分割形成され、
前記第３調整手段、前記第５調整手段を閉状態に、前記第６調整手段及び前記第４調整手段を開状態として、
室内空間から取り込んだ室内空気を前記調湿部に通過させ、調湿部通過後の室内空気を室外空間へ排気する通路を室内空気排気循環通路として形成可能とされている請求項１〜５の何れか一項記載の空調システム。
【請求項７】
一方の調湿素子において、当該調湿素子の調湿部を介する室内空気排気循環通路が形成され、
他方の調湿素子において、当該調湿素子の調湿部を介する給気通路が形成されて、
他方の調湿素子が再生動作する状態で、室内空間を加湿する再生・加湿運転が実行される請求項６記載の空調システム。
【請求項８】
調湿素子の前記閉鎖壁と前記胴体の内壁との間に、前記排気通路の入口から前記調湿部入口に通じる通路が設けられている請求項１〜７の何れか一項記載の空調システム。
【請求項９】
吸湿剤を内部に備え、通過する空気が有する水分を吸着又は通過する空気に水分を脱離する調湿部と、前記調湿部と熱交換可能に構成され、通過する冷却用空気にて前記調湿部を冷却する冷却部とを夫々有する調湿素子を備え、
室外空間から取り込んだ室外空気を室内空間へ供給する通路を給気通路とし、
室内空間から取り出した室内空気を室外空間へ排気する通路を排気通路とし、
室外空間から取り込んだ室外空気を前記調湿部に通過させ、調湿部通過後の室外空気を室外空間へ排気する通路を室外空気排気循環通路として形成可能に構成され空調システム用設備機器であって、
前記調湿素子が平面視で概略六角形状を有し、
対向する一対の辺に位置する側壁が閉鎖壁として構成され、
残余の四辺に関し、対向する一対の辺が調湿素子の厚み方向において交互に開口されて、厚み方向に交互に前記調湿部と前記冷却部として構成され、
前記調湿素子に、
前記給気通路の入口から調湿部入口に流れる空気の量を調整する第１調整手段、
前記給気通路の入口から昇温状態で調湿部入口に流れる空気の量を調整する第２調整手段、
調湿部出口から給気通路の出口に流れる空気の量を調整する第３調整手段、
調湿部出口から排気通路の出口に流れる空気の量を調整する第４調整手段、
排気通路の入口から冷却部入口に流れる空気の量を調整する第５調整手段を備え、
六角形状に形成される前記調湿素子が、胴体の内部に素子厚み方向を胴体高さ方向に合わせて配置されるとともに、前記調湿部入口と前記冷却部出口とを区画する厚み方向端縁辺、及び、前記調湿部出口と前記冷却部入口とを区画する厚み方向端縁辺から、それぞれ胴体の長手方向に延出され、胴体内を前記給気通路と前記排気通路とを区画する長手方向区画壁が設けられている空調システム用設備機器。
【請求項１０】
調湿素子の前記閉鎖壁と前記胴体の内壁との間に、前記調湿部出口から前記排気通路の出口に通じる通路が設けられている請求項９記載の空調システム用設備機器。
【請求項１１】
調湿素子の前記閉鎖壁と前記胴体の内壁との間に、前記排気通路の入口から前記調湿部入口に通じる通路が設けられ、
前記排気通路の入口から調湿部入口に流れる空気の量を調整する第６調整手段を備えている請求項９又は１０記載の空調システム用設備機器。
【発明の詳細な説明】
【技術分野】
【０００１】
本発明は、吸湿剤を内部に備え、通過する空気が有する水分を吸着又は通過する空気に水分を脱離する調湿部と、前記調湿部と熱交換可能に構成され、通過する冷却用空気にて前記調湿部を冷却する冷却部とを夫々有する一対の調湿素子を備え、
室外空間から取り込んだ室外空気を室内空間へ供給する通路を給気通路とし、
室内空間から取り出した室内空気を室外空間へ排気する通路を排気通路とし、
室外空間から取り込んだ室外空気を前記調湿部に通過させ、調湿部通過後の室外空気を室外空間へ排気する通路を室外空気排気循環通路として形成可能に構成され、
前記一対の調湿素子間で、
一方の調湿素子の吸湿剤が、調湿部を通過する空気から水分を吸着する除湿動作と、他方の調湿素子の吸湿剤が、調湿部を通過する空気に水分を脱離する再生動作とを、交互に繰り返す空調システムに関する。
【背景技術】
【０００２】
この種の空調システムが、特許文献１、特許文献２に紹介されている。
空調システムを構成する調湿素子は、それぞれ調湿部と冷却部とを熱交換可能に積層して備え、その一方の調湿素子で、所望の動作（例えば室外空気の除湿）を行い、室内空間へ供給するとともに、他方の調湿素子でその再生を行う。そして、吸湿剤の状況に従って、一対の調湿素子間で、その動作（除湿動作・再生動作）を切換えることにより、所謂、除湿・再生運転を継続することができる。
【０００３】
ここで、一方の調湿素子での除湿動作は、冷却部を通過する空気（例えば夏場に冷却された状態にある室内空気）により、その調湿素子の調湿部を冷却することで、この調湿部を通過する空気（例えば夏場に高湿状態にある室外空気）が有する水分を吸湿剤に吸着するものである。
【０００４】
この除湿動作において、調湿部を通過する空気は、室外空間から取り込まれ、室内空間に供給される。この給気通路を図６にＬｆとして太実線で示した。
【０００５】
冷却部を通過する空気（本願において「冷却用空気」と呼ぶことがある）は、室内空間から取り込まれ室外空間へ排気されるが、冷却部における熱交換により冷熱を調湿部（具体的には吸湿剤）に与えながら排気通路を流通する。この排気通路を図６にＬｅ（破線）で示した。
【０００６】
このようにして、一の調湿素子が除湿動作すると、その調湿素子に備えられる吸湿剤は水分を吸着して飽和するため、さらに水分を吸着することはできない。そこで、再生動作が必要となる。
【０００７】
再生動作は、昇温された空気を調湿部に流すことで、吸湿剤から水分を奪い、吸湿剤を再生する。このようにして吸湿剤を再生した空気（水分を含んだ高湿の空気）は室外空間へ排出する。この通路を本発明では室外空気排気循環通路と呼び、図６にＬｏａｒ（一点鎖線）で示した。
【先行技術文献】
【特許文献】
【０００８】
【特許文献１】特開２０１７−０１５３６８号公報
【特許文献２】特開２０１７−０１５３６７号公報
【発明の概要】
【発明が解決しようとする課題】
【０００９】
上記の特許文献１、２においては、調湿素子の構造を詳細に説明している。そして、一対の調湿素子を除湿・再生運転に使用する場合の通路構成が図１に示されている。
しかしながら、実際に空調システムをどのように構成するかに関しては、具体的には示されていない。
このような空調システムでできるだけコンパクト且つ合理的な配置を採ることが好ましいが、その点で、検討の余地を残していた。
【００１０】
さらに、この種の空調システムにあっては、除湿・再生運転を行う必要があるとともに、例えば、冬場の室内の乾燥を避けるために加湿を行いたい、また換気運転も必要とされる。
また、加湿を行うに際しても、できるだけ効率の高い状態で吸湿剤を再生した運転を行うことが好ましい。
【００１１】
上記実情に鑑み、本発明の主たる課題は、一対の調湿素子を備え、当該一対の調湿素子の間で、吸湿剤による水分の吸着と脱離を交互に実行して、所定の動作を継続する空調システムにおいて、システムをコンパクト且つ合理的な配置を有する装置として構築できるとともに、加湿運転が可能となり、効率が高い吸湿剤の再生を行うことができる空調システムを提供する点にある。
【課題を解決するための手段】
【００１２】
本発明に係る、吸湿剤を内部に備え、通過する空気が有する水分を吸着又は通過する空気に水分を脱離する調湿部と、前記調湿部と熱交換可能に構成され、通過する冷却用空気にて前記調湿部を冷却する冷却部とを夫々有する一対の調湿素子を備え、
室外空間から取り込んだ室外空気を室内空間へ供給する通路を給気通路とし、
室内空間から取り出した室内空気を室外空間へ排気する通路を排気通路とし、
室外空間から取り込んだ室外空気を前記調湿部に通過させ、調湿部通過後の室外空気を室外空間へ排気する通路を室外空気排気循環通路として形成可能に構成され、
前記一対の調湿素子間で、
一方の調湿素子の吸湿剤が、調湿部を通過する空気から水分を吸着する除湿動作と、他方の調湿素子の吸湿剤が、調湿部を通過する空気に水分を脱離する再生動作とを、交互に繰り返す空調システムの第１の特徴構成は、
前記調湿素子が平面視で概略六角形状を有し、
対向する一対の辺に位置する側壁が閉鎖壁として構成され、
残余の四辺に関し、対向する一対の辺が調湿素子の厚み方向において交互に開口されて、厚み方向に交互に前記調湿部と前記冷却部として構成され、
前記調湿素子それぞれに、
前記給気通路の入口から調湿部入口に流れる空気の量を調整する第１調整手段、
前記給気通路の入口から昇温状態で調湿部入口に流れる空気の量を調整する第２調整手段、
調湿部出口から給気通路の出口に流れる空気の量を調整する第３調整手段、
調湿部出口から排気通路の出口に流れる空気の量を調整する第４調整手段、
排気通路の入口から冷却部入口に流れる空気の量を調整する第５調整手段を備え、
六角形状に形成される前記調湿素子が、胴体の内部に素子厚み方向を胴体高さ方向に合わせて位置を異ならせて配置されるとともに、前記調湿部入口と前記冷却部出口とを区画する厚み方向端縁辺、及び、前記調湿部出口と前記冷却部入口とを区画する厚み方向端縁辺から、それぞれ胴体の長手方向に延出され、胴体内を前記給気通路と前記排気通路とを区画する長手方向区画壁が設けられ、
前記第１調整手段から前記第５調整手段の胴内配置位置より前記調湿素子側の領域が、高さ方向区画面により、調湿素子それぞれに対応して分割形成されている点にある。
【００１３】
本構成によれば、空調システムは胴体内に一対の調湿素子を備えて構成される。
ここで、調湿素子は、その厚み方向を胴体の高さ方向で位置を異ならせて配置される。従って、一方の調湿素子を上側に他方の調湿素子を下側に配置することもできる。さらに好ましくは、これらの素子の側面を合わせて上下に完全に重ねて配置することが可能となる。
【００１４】
調湿素子に形成される調湿部と冷却部は素子内で交差する構造とするため、調湿部入口と冷却部出口とを区画する厚み方向端縁辺、及び、調湿部出口と冷却部入口とを区画する厚み方向端縁辺から、それぞれ胴体の長手方向に延出する長手方向区画壁を設けることで、胴体をこれら区画壁で区切って、一方を調湿部を介する通路、他方を冷却部を介する通路を形成できる。前後者の通路を空気が流れることで、交差状態の給気通路及び排気通路が形成される（図６参照）。
【００１５】
さて、一の調湿素子に対して、調整手段として第１〜第５の調整手段が設けられる。
この種の調整手段は、当該調整手段を設けた部位で通路を開状態・閉状態とする他、調整手段部位を流れる空気の量を調整する。
従って、これら調整手段の開閉状態設定で、以下にも示すように所要の動作を実現する通路を形成することができる。
【００１６】
さて、本発明の空調システムは、第１調整手段から第５調整手段の胴内配置位置より調湿素子側の領域が、高さ方向区画面により、調湿素子それぞれに対応して二つに分割形成されている。
結果、調湿素子それぞれの調湿部及び冷却部への空気の導入、調湿部及び冷却部からの空気の排出を調湿素子毎に行えながら、所望の動作を行える。
【００１７】
この空調システムは、胴内における調湿素子の配置及び仕切り構成が合理的且つシンプルなものであり、コンパクト且つ信頼性の高い調湿システムとなっている。
【００１８】
本発明の第２の特徴構成は、
前記給気通路が前記第１調整手段及び前記第３調整手段を開状態として形成されるとともに、
前記排気通路が前記第５調整手段を開状態として形成され、
調湿部を流れる空気を除湿する除湿動作が実行される点にある。
【００１９】
本構成によれば、一の調湿素子に設けられる、第１、第３、及び第５調整手段の調整により、調湿部において除湿（調湿部を通過する空気の有する水分の吸着）を行い、冷却部において調湿部の冷却で必要とする冷熱の供給を行い、除湿動作を実行できる。
【００２０】
本発明の第３の特徴構成は、
前記室外空気排気循環通路が前記第２調整手段及び前記第４調整手段を開状態とし、前記第３調整手段を閉状態として形成され、
水分を吸着した状態にある吸湿剤が水分を脱離して再生される再生動作が実行される点にある。
【００２１】
本構成によれば、一の調湿素子に設けられる、第２、第４、及び第３調整手段の調整により、調湿部において再生（調湿部を通過する空気に水分を脱離）を行い、この調湿素子の再生を実行できる。調湿部を通過した空気は室外空間に排出される。
【００２２】
本発明の第４の特徴構成は、
一方の調湿素子において、当該調湿素子の調湿部を介する室外空気排気循環通路と、当該調湿素子の冷却部を介する前記排気通路とが形成され、
他方の調湿素子において、当該調湿素子の調湿部を介する給気通路が形成されて、
他方の調湿素子が再生動作する状態で、室内空間を加湿する再生・加湿運転が実行される点にある。
【００２３】
本構成によれば、合理的且つコンパクトな構成の本発明に係る空調システムで、除湿・再生運転を実現できる。
【００２４】
本発明の第５の特徴構成は、
調湿素子の前記閉鎖壁と前記胴体の内壁との間に、前記調湿部出口から前記排気通路の出口に通じる通路が設けられている点にある。
【００２５】
本構成によれば、調湿素子の閉鎖壁と胴体の内壁との間に空間を設けるだけで、調湿部出口から排気通路の出口に繋がる通路を形成できる。
【００２６】
本発明の第６の特徴構成は、
前記排気通路の入口から調湿部入口に流れる空気の量を調整する第６調整手段を備え、
当該第６調整手段より調湿部入口側の領域が、高さ方向区画面により、調湿素子それぞれに対応して分割形成され、
前記第３調整手段、前記第５調整手段を閉状態に、前記第６調整手段及び前記第４調整手段を開状態として、
室内空間から取り込んだ室内空気を前記調湿部に通過させ、調湿部通過後の室内空気を室外空間へ排気する通路を室内空気排気循環通路として形成可能とされている点にある。
【００２７】
本構成によれば、一の調湿素子に設けられる、第３、第５、第６及び第４調整手段の調整により、室内空気排気循環通路を形成できる。
この通路も、第６調整手段から調整素子側となる領域において、高さ方向区画面により、調湿素子それぞれに対応して分割形成するため、各素子の調湿部、冷却部を所望の動作状態に適合して使用できる。
【００２８】
本発明の第７の特徴構成は、
一方の調湿素子において、当該調湿素子の調湿部を介する室内空気排気循環通路が形成され、
他方の調湿素子において、当該調湿素子の調湿部を介する給気通路が形成されて、
他方の調湿素子が再生動作する状態で、室内空間を加湿する再生・加湿運転が実行されることにある。
【００２９】
本構成によれば、室内空気排気循環通路を介して室内空気の有する水分を吸着し、給気通路を介して調湿素子の再生を行うことにより、室内空気を利用した効率の良い再生を行える。
【００３０】
本発明の第８の特徴構成は、
調湿素子の前記閉鎖壁と前記胴体の内壁との間に、前記排気通路の入口から前記調湿部入口に通じる通路が設けられている点にある。
【００３１】
この構成により、調湿素子の閉鎖壁と胴体の内壁との間に空間を設けるだけで、室内空気排気循環通路を構成する排気通路の入口から調湿部入口に通じる通路を形成できる。
【００３２】
以上の説明では、本発明に係る空調システムの構成及びその運転形態に関して説明したが、以下、このような空調システムを迅速に構築できる空調システム用設備機器に関して説明する。即ち、以下に説明するような、空調システム用設備機器を適切に積み重ねることで、これまで説明してきた空調システムを構築できる。
【００３３】
さて、これまで説明してきた空調システムでは、胴体は一対の調湿素子を内部に備え、調整手段より調湿素子側の領域の下側若しくは上側に高さ方向区画面を有する構成としたが、以下に説明する空調システム用設備機器は、この空調システムにおける高さ方向区画面からその上側若しくは下側の構成を有する機器であり、一つの調湿素子を備え、一対の長手方向区画壁を備え、高さ方向区画面を胴体の一部を成す壁面とする。
即ち、これまで説明してきた空調システムを構築するには、対となる空調システム用設備機器を上下に重ねることにより、これを構築できる。この場合、空調システムの高さ方向区画面は、空調システム用設備機器の胴体の一部（胴体を断面方形とする場合は、上側の空調システム用設備機器の胴体の底面と、下側の空調システム用設備機器の胴体の縁面）を重ねた面として形成することができる。
【００３４】
以上の概念に基づき、発明者が提案する空調システム用設備機器の第１の特徴構成は、
吸湿剤を内部に備え、通過する空気が有する水分を吸着又は通過する空気に水分を脱離する調湿部と、前記調湿部と熱交換可能に構成され、通過する冷却用空気にて前記調湿部を冷却する冷却部とを夫々有する調湿素子を備え、
室外空間から取り込んだ室外空気を室内空間へ供給する通路を給気通路とし、
室内空間から取り出した室内空気を室外空間へ排気する通路を排気通路とし、
室外空間から取り込んだ室外空気を前記調湿部に通過させ、調湿部通過後の室外空気を室外空間へ排気する通路を室外空気排気循環通路として形成可能に構成され空調システム用設備機器であって、
前記調湿素子が平面視で概略六角形状を有し、
対向する一対の辺に位置する側壁が閉鎖壁として構成され、
残余の四辺に関し、対向する一対の辺が調湿素子の厚み方向において交互に開口されて、厚み方向に交互に前記調湿部と前記冷却部として構成され、
前記調湿素子に、
前記給気通路の入口から調湿部入口に流れる空気の量を調整する第１調整手段、
前記給気通路の入口から昇温状態で調湿部入口に流れる空気の量を調整する第２調整手段、
調湿部出口から給気通路の出口に流れる空気の量を調整する第３調整手段、
調湿部出口から排気通路の出口に流れる空気の量を調整する第４調整手段、
排気通路の入口から冷却部入口に流れる空気の量を調整する第５調整手段を備え、
六角形状に形成される前記調湿素子が、胴体の内部に素子厚み方向を胴体高さ方向に合わせて配置されるとともに、前記調湿部入口と前記冷却部出口とを区画する厚み方向端縁辺、及び、前記調湿部出口と前記冷却部入口とを区画する厚み方向端縁辺から、それぞれ胴体の長手方向に延出され、胴体内を前記給気通路と前記排気通路とを区画する長手方向区画壁が設けられている点にある。
【００３５】
この構成により、空調システム用設備機器を先に説明したように上下に重ねる等して、適切に本発明に係る空調システムを構築できる。
この空調システム用設備機器の配置は、上下積み重ねに限定されるものではなく、例えば、左右横方向に並べて使用する形態を採用することも可能となる。
【００３６】
さて、空調システム用設備機器の第２の特徴構成は、調湿素子の前記閉鎖壁と前記胴体の内壁との間に、前記調湿部出口から前記排気通路の出口に通じる通路が設けられている点にある。
【００３７】
この構成により、これまでも説明してきた室外空気排気循環通路を容易に形成できる。
【００３８】
さらに、空調システム用設備機器の第３の特徴構成は、調湿素子の前記閉鎖壁と前記胴体の内壁との間に、前記排気通路の入口から前記調湿部入口に通じる通路が設けられ、前記排気通路の入口から調湿部入口に流れる空気の量を調整する第６調整手段を備えている点にある。
【００３９】
この構成により、室内空気排気循環通路を形成できる。
【図面の簡単な説明】
【００４０】
【図１】第１実施形態に係る空調システムの通路構成図
【図２】第１実施形態に係る空調システムの簡略構成図
【図３】調湿素子の斜視図
【図４】調湿素子の分解斜視図
【図５】調湿素子の拡大断面図
【図６】第１実施形態に係る空調システムが除湿・再生運転を行っている状態の通路構成を示す説明図
【図７】第１実施形態に係る空調システムが再生・加湿運転を行っている状態の通路構成を示す説明図
【図８】第２実施形態に係る空調システムの通路構成図
【図９】第２実施形態に係る空調システムの簡略構成図
【図１０】第２実施形態に係る空調システムが再生・加湿運転を行っている状態の通路構成を示す説明図
【発明を実施するための形態】
【００４１】
以下図面に基づいて、本発明を実施するための形態を説明する。
本明細書においては、第１実施形態と第２実施形態とを紹介するが、第１実施形態は、室外空間Ｏから取り入れた室外空気ＯＡが有する水分により加湿を行う実施形態であり、第２実施形態は、室内空間Ｒの加湿を効率的な吸湿剤６の再生を伴って実行できる実施形態である。
【００４２】
以下、両実施形態で共通する事項を、先ず図１〜図６を参照して説明する。
説明に際しては、図６に示す上側の調湿素子Ｅ１が除湿動作を行い、下側の調湿素子Ｅ２が再生動作を行っている除湿・再生運転を基準に説明を進める。
【００４３】
本発明の空調システム１００は、少なくとも除湿・再生運転が可能とされている。ここで、除湿は、調湿部Ｗを通過する空気ＷＡの有する水分を吸湿剤６に吸着させ、調湿対象の空気ＷＡを除湿することを意味する。
【００４４】
一方、再生は、このようにして水分を吸着した状態にある吸湿剤６から水分を脱離させて再生することを意味する。脱離された水分は、除湿・再生運転では室外空間Ｏに排出する。
【００４５】
〔共通事項〕
全体構成
本発明に係る空調システム１００は、図３に示すように、吸湿剤６を内部に備え、通過する空気ＷＡが有する水分を吸着又は通過する空気ＷＡに水分を脱離する調湿部Ｗと、前記調湿部Ｗと熱交換可能に構成され、通過する冷却用空気ＣＡにて前記調湿部Ｗを冷却する冷却部Ｃとを積層して夫々有する一対の調湿素子Ｅを備えて構成されている。
【００４６】
図１、図２に示すように、空調システム１００は、一対の調湿素子Ｅで共通に、給気用の第１ファンＦ１と排気用の第２ファンＦ２とを備えている。これら第１、第２ファンＦ１、Ｆ２の配置部位は単一の共通通路とされている。
【００４７】
第１ファンＦ１の主な役割は室外空間Ｏから室外空気ＯＡを取り込んで調湿部Ｗに通過させ、室内空間Ｒに供給する給気通路Ｌｆを形成することにある（図６参照）。
【００４８】
この室外空気ＯＡを取り込み調湿部Ｗに通過させる形態において、第１ファンＦ１と調湿部Ｗとの間の通路を二つ設け、一方の通路Ｌ１に関しては、第１ファンＦ１により取り込んだ室外空気ＯＡをそのまま調湿部Ｗに送り込み、他方の通路Ｌ２にヒータ２２（昇温手段の一例）を設け、取り込んだ室外空気ＯＡを昇温して調湿部Ｗに送り込むことが可能となっている。
この通路に関しても、本発明では共通化可能であるが、調湿素子Ｅに対応して別としてもよい。
【００４９】
第２ファンＦ２の主な役割は冷却用空気ＣＡを冷却部Ｃに通過させ、室外空間Ｏに排出することにある。
【００５０】
図１に示すように、第１実施形態の空調システム１００は、１０のダンパーｄ１〜ｄ１０（調整手段の一例）を備えて構成されている。
同図において、奇数番号を付したダンパーｄ１、ｄ３、ｄ５、ｄ７、ｄ９は、上側の調湿素子Ｅ１に対して設けられるダンパーあり、偶数番号のダンパーｄ２、ｄ４、ｄ６、ｄ８、ｄ１０は、下側の調湿素子Ｅ２の対して設けられるダンパーｄである。
【００５１】
両調湿素子Ｅ１、Ｅ２間で、機能を同じくするダンパーの番号を連番とした。
例えば、ダンパーｄ１は上側の調湿素子Ｅ１に対して働き、ダンパーｄ２は下側の調湿素子Ｅ２に対して働く。以下、（ｄ３、ｄ４）、（ｄ５、ｄ６）、（ｄ７、ｄ８）、（ｄ９、ｄ１０）でそれぞれ対を成している。また、以下の説明では、有効なダンパーｄの符号を（）無しで示し、対応するダンパーｄの符号を補助的に（）付きで記載することがある。
【００５２】
このようなダンパーｄ１〜ｄ１０の配置を、一の調湿素子Ｅに対する位置関係で示したのが、図２である。
【００５３】
図１、図２からも判明するように、
ダンパーｄ１、ｄ２は、給気通路Ｌｆの入口から調湿部入口Ｗｉｎに流れる空気の量を調整する第１調整手段を構成する。
【００５４】
ダンパーｄ３、ｄ４は、給気通路Ｌｆの入口から昇温状態で調湿部入口Ｗｉｎに流れる空気の量を調整する第２調整手段を構成する。
【００５５】
ダンパーｄ５、ｄ６は、調湿部出口Ｗｏｕｔから給気通路Ｌｆの出口に流れる空気の量の調整する第３調整手段を構成する。
【００５６】
ダンパーｄ７、ｄ８は、調湿部出口Ｗｏｕｔから排気通路Ｌｅの出口に流れる空気の量を調整する第４調整手段を構成する。
【００５７】
ダンパーｄ９、ｄ１０は、前記排気通路Ｌｅの入口から冷却部入口Ｃｉｎに流れる空気の量を調整する第５調整手段を夫々構成する。
【００５８】
従って、第１ファンＦ１の稼働状態で、ダンパーｄ１（ｄ２）及びｄ５（ｄ６）が開状態とされることで、室外空間Ｏから取り込んだ室外空気ＯＡを、調湿素子Ｅ（調湿部Ｗ）を介して室内空間Ｒへ供給する通路を給気通路Ｌｆが形成される（図６参照）。
【００５９】
また、第１ファンＦ１の稼働状態で、ダンパーｄ３（ｄ４）及びｄ５（ｄ６）が開状態とされることで、室外空間Ｏから取り込んだ室外空気ＯＡをヒータ２２により昇温して、調湿素子Ｅ（調湿部Ｗ）を介して室内空間Ｒへ供給する通路を給気通路Ｌｆが形成される（図６参照）。
【００６０】
第２ファンＦ２の稼働状態で、ダンパーｄ９（ｄ１０）が開状態とされることで、室内空間Ｒから取り出した室内空気ＲＡを、調湿素子Ｅ（後述するように冷却部Ｃ）を介して室外空間Ｏへ排気する通路を排気通路Ｌｅとして形成する（図６参照）。
【００６１】
第１、第２ファンＦ１、Ｆ２の稼働状態で、ダンパーｄ４（ｄ３）、ｄ８（ｄ７）を開状態とし、ダンパーｄ６（ｄ５）を閉状態とすることで、室外空間Ｏから取り込んだ室外空気ＯＡを昇温状態で調湿素子Ｅ（後述するように調湿部Ｗ）に通過させ、調湿部通過後の室外空気ＯＡを室外空間Ｏへ排気する通路を室外空気排気循環通路Ｌｏａｒとして形成する（図６参照）。
【００６２】
本発明の空調システム１００を、図６に示した状態で説明すると、一対の調湿素子Ｅ１、Ｅ２のうちの何れか一方の調湿素子Ｅ１が、排気通路Ｌｅを流通する室内空気ＲＡが当該調湿素子Ｅ１の冷却部Ｃを通過する調湿部冷却状態で、調湿部Ｗに備えられる吸湿剤６が、給気通路Ｌｆを流通する室外空気ＯＡより水分を吸着する除湿動作を行う除湿動作時に、他方の調湿素子Ｅ２が、室外空気排気循環通路Ｌｏａｒを通流する室外空気ＯＡが、当該調湿素子Ｅ２の調湿部Ｗを通過する再生動作を行うのである。
【００６３】
そして、切換装置ＣＮ（図１及び図２参照）によるダンパーｄの操作により、この除湿動作、再生動作を一対の調湿素子Ｅ１、Ｅ２の間で交互に繰り返す。
【００６４】
調湿素子
図３及び図４に示すように、調湿素子Ｅの夫々は、略六角形状に形成された複数の平板部材１が、当該平板部材１同士の間の夫々に冷却部Ｃ又は調湿部Ｗを形成する状態で積層され、平板部材１の積層方向（素子の厚み方向）において、冷却部Ｃと調湿部Ｗとが交互に配設されて構成されている。
複数の平板部材１の外周縁部には、平板部材１の外周縁部同士を接続する側壁２（閉鎖壁を成す）が設けられている。なお、本実施形態では、６枚の平板部材１によって、３層の冷却部Ｃと２層の調湿部Ｗが形成された場合について説明するが、通常の実用レベルでは、１００枚以上の平板部材１を積層して、５０層以上の冷却部Ｃと調湿部Ｗとを夫々形成することが想定される。
【００６５】
調湿素子Ｅは、例えば、図６に破線で示す排気通路Ｌｅを流通する室内空気ＲＡが当該調湿素子Ｅの冷却部Ｃを通過する調湿部冷却状態で、調湿素子Ｅに備えられる吸湿剤６が、図６に実線で示す給気通路Ｌｆを流通する室外空気ＯＡより水分を吸着する除湿動作を行う。
一方、例えば図６に一点鎖線で示す室外空気排気循環通路Ｌｏａｒを通流する室外空気ＯＡが、当該調湿素子Ｅの調湿部Ｗを通過する再生ことで、吸湿剤６、ひいては調湿素子Ｅが再生される。
【００６６】
図４及び図５に基づいて、調湿素子Ｅについて具体的に説明する。
図４に示すように、調湿部Ｗ及び冷却部Ｃの夫々には、調湿素子Ｅの上面視で、六角形状の平板部材１の長手方向の両端部に、流入口側の流入領域８、１１と、流入口側の流出領域１０、１３とが設けられ、流入領域８、１１と流出領域１０、１３との間に誘導部分９、１２が設けられている。
【００６７】
調湿部Ｗの誘導部分９には、調湿対象の空気ＷＡを誘導する第１誘導部材３が設けられ、冷却部Ｃの誘導部分１２には、冷却用空気ＣＡを誘導する第２誘導部材４が設けられている。第１誘導部材３及び第２誘導部材４は、上面視で誘導部分９、１２と同等の寸法に形成された波板部材によって構成され、調湿部Ｗ及び冷却部Ｃの流入領域８、１１から流出領域１０、１３に向かう方向に直交する方向における断面視が波形状となるように誘導部分９、１２に配置されている。
【００６８】
また、調湿部Ｗの流入領域８側の側面部分に調湿部入口Ｗｉｎが設けられ、調湿部Ｗの流出領域１０側の側面部分に調湿部出口Ｗｏｕｔが設けられている。一方、冷却部Ｃの流入領域１１側の側面部分に冷却部入口Ｃｉｎが設けられ、冷却部Ｃの流出領域１３側の側面部分に冷却部出口Ｃｏｕｔが設けられている。
【００６９】
第１誘導部材３及び第２誘導部材４は、調湿部Ｗにおける調湿対象の空気ＷＡと冷却部Ｃにおける冷却用空気ＣＡとの流れ方向とが、互いに向かい合う方向となるように誘導部分９及び誘導部分１２に夫々配置されており、調湿対象の空気ＷＡと冷却用空気ＣＡとが平板部材１を介して対向流を成す状態で、調湿部Ｗと冷却部Ｃとの間で熱交換することができる。
また、図４に示すように、調湿部Ｗに設けられた第１誘導部材３及び冷却部Ｃに設けられた第２誘導部材４は、夫々、第１波板部材５ａ及び第２波板部材５ｂにより構成されている。
【００７０】
平板部材１、側壁２、第１波板部材５ａ及び第２波板部材５ｂは、例えば、ポリプロピレン（ＰＰ）、ポリエチレン（ＰＥ）、又は、ポリエチレンテレフタレート（ＰＥＴ）等の樹脂を材質として、５０ミクロン程度の厚さの薄板により構成されている。その他、平板部材１及び側壁２については、例えば、紙（空気に含まれる水分が透過しない処理がなされたもの）、金属（例えばアルミニウム等）、ガラス、セラミックなどの材料を用いて作製することができる。また、第１波板部材５ａ及び第２波板部材５ｂについては、例えば、紙、金属（例えばアルミニウム等）、ガラス、セラミックなどの材料を用いて作製することができる。本実施形態では、平板部材１及び波板部材５及び側壁２としてポリエチレンテレフタレートを用いる。
【００７１】
図５に示すように、複数の平板部材１の調湿部Ｗに面する第１面１ａには、調湿部Ｗを通過する調湿対象の空気ＷＡに含まれる水分を吸脱着する吸湿剤６が保持されている。さらに、第１波板部材５ａの表面、つまり、第１波板部材５ａの上面側及び下面側にも吸湿剤６が保持されている。このように、平板部材１及び表面積の大きな波板部材５の両面に多くの吸湿剤６を保持させることができるので、調湿部Ｗにおける水分の吸着性能を高くすることができる。
【００７２】
吸湿剤６としては様々な種類のものを用いることができるが、例えば、ポリアクリル酸系の樹脂（架橋構造を有するポリアクリル酸ナトリウム等）を主成分とする材料を用いることができる。また、平板部材１と吸湿剤６とのバインダーとして、吸湿剤６を構成する材料と極性が近く、吸湿剤６の体積変化やヒートサイクルに耐えることのできる（即ち、バインダーとしての機能を維持できる）柔軟性を有する材料を用いることができる。例えば、吸湿剤６として上述のようなポリアクリル酸系の材料を用いる場合、バインダーとしては水性ウレタン樹脂、ポリ酢酸ビニル、エチレン−酢酸ビニル共重合体などの材料を利用できる。或いは、上述した材料を混合したものをバインダーとして利用することもできる。本実施形態では、吸湿剤６としてポリアクリル酸ナトリウムを用い、バインダーとして水性ウレタン樹脂を用いる。
【００７３】
尚、吸湿剤６を平板部材１及び波板部材５（第１波板部材５ａ）に対してバインダーを用いて保持させる場合、それら三者の接着性を良好にするためには、平板部材１及び波板部材５（第１波板部材５ａ）は、極性が上記バインダー又は吸湿剤６に近く、耐熱性を有する樹脂材料であることが好ましい。よって、本実施形態では、上述の如く、平板部材１及び波板部材５及び側壁２としてポリエチレンテレフタレートを用いている。
そして、ポリアクリル酸ナトリウムと水性ウレタン樹脂等の材料で構成されたバインダーとを含む混合液を、第１面１ａ及び第１波板部材５ａの表面に塗布することにより、アクリル酸ナトリウムを第１面１ａ及び第１波板部材５ａの表面に保持させることができる。
【００７４】
一方、複数の平板部材１の冷却部Ｃに面する第２面１ｂには金属膜７が形成されている。金属膜７は、アルミニウム等の材質により、数ミクロン程度の厚さで構成され、蒸着により第１面１ａに形成されている。これにより、第１面１ａに形成された金属膜７の良好な熱伝導性により、冷却用空気ＣＡと平板部材１との間における伝熱面積が金属膜７により拡大するので、冷却用空気ＣＡと平板部材１との間の伝熱を促進することができる。これにより、冷却部Ｃと調湿部Ｗとの間における熱交換効率が向上する。ここで、本実施形態のように平板部材１が樹脂、紙（空気に含まれる水分が透過しない処理がなされたもの）、ガラス、セラミックで構成される場合には、上述の如く、アルミニウム等の金属膜７を形成することにより冷却部Ｃと調湿部Ｗとの間における熱交換効率を向上させることができる。また、平板部材１が金属（例えばアルミニウム等）で構成される場合には、平板部材１を構成する金属よりも熱伝導性に優れた金属を材料として金属膜７を形成することにより冷却部Ｃと調湿部Ｗとの間における熱交換効率を向上させることができる。
【００７５】
以上より、各調湿素子Ｅは、平面視で概略六角形状を有し、対向する一対の辺に位置する側壁２が閉鎖壁として構成され、残余の四辺に関し、対向する一対の辺が調湿素子Ｅの厚み方向（図５の上下方向）において交互に開口されて、厚み方向に交互に調湿部Ｗと冷却部Ｃを備えて構成される。
【００７６】
以上が、本発明に係る調湿素子Ｅの構成であるが、以下、図１に示した空調システム１００の具体的構成に関して図２を参照しながらさらに説明を進める。
【００７７】
図２は、一の調湿素子Ｅに対する通路構成を中心に模式的に描いたものであり、この例では、同一六角形状とされる一対の調湿素子Ｅ１、Ｅ２が、その積層方向である素子厚み方向（図２の紙面表裏方向である図４の上下方向）に重ねて配置されている。
【００７８】
図１との比較において明らかなように、第１ファンＦ１、第２ファンＦ２及びヒータ２２は共通であり、空調システム１００を構成する胴体１０１は両調湿素子Ｅ１、Ｅ２で共通である。
図２には、同一箇所に設けられるダンパーｄを対で記載した。
【００７９】
そして、六角形状に形成される調湿素子Ｅが、胴体１０１の内部に素子厚み方向を胴体高さ方向（図２の紙面表裏方向）で位置を異ならせて（具体的には上下に重ねられて）配置されている。さらに、調湿部入口Ｗｉｎと冷却部出口Ｃｏｕｔとを区画する厚み方向端縁辺Ｅａ、及び、調湿部出口Ｗｏｕｔと冷却部入口Ｃｉｎとを区画する厚み方向端縁辺Ｅｂから、それぞれ胴体１０１の長手方向に延出され、胴体１０１内を給気通路Ｌｆと排気通路Ｌｅとを区画する長手方向区画壁Ｗａ、Ｗｂが設けられている。
【００８０】
ここで、少なくともダンパーｄ１〜ｄ１０の胴内配置位置より調湿素子側の領域Ｚ１〜Ｚ３が、高さ方向区画面Ｗｃにより、調湿素子Ｅ１、Ｅ２それぞれに対応して分割形成されている。このＷｃで少なくとも分割される範囲を、図２に太破線で示した。
【００８１】
また、第１実施形態では、六角形状の調湿素子Ｅを平面視で方形形状の胴体１０１内に収納されており、図２に示す、調湿素子Ｅの下側辺が胴体１０１の下側辺に重なる構成を有している。対して調湿素子Ｅの上側辺は、胴体１０１から離隔する位置関係とされており、その間に形成された通路Ｌ３が先にも述べた室外空気排気循環通路Ｌｏａｒの一部となるように構成されている。
【００８２】
以下、各運転状態に関して、切換装置ＣＮの切換操作により操作されるダンパーｄ１〜ｄ１０の開閉状態をとともに説明する。
【００８３】
除湿・再生運転
除湿動作時の各ダンパーｄ１〜ｄ１０の開閉状態を表１に示した。また、この運転状態を図６に示した。
表１にあっては、最上段のダンパー欄に、ダンパーの符号を示し、その下の各枠内に、上側の調湿素子Ｅ１、下側の調湿素子Ｅ２、それぞれに備えられるダンパーｄ１〜ｄ１０の開閉状態を示した。
同一枠内で、上側の記載が上側の調湿素子Ｅ１に対して設けられるダンパーｄ１、ｄ３、ｄ５、ｄ７、ｄ９の開閉状態を示し、下側の記載が下側の調湿素子Ｅ２に対して設けられるダンパーｄ２、ｄ４、ｄ６、ｄ８、ｄ１０の開閉状態を示している。
【００８４】
【表１】
2018169055.tif 000003
【００８５】
このダンパーｄ１〜ｄ１０の開閉状態において、第１ファンＦ１、第２ファンＦ２が稼働することにより、一方の素子（図６ではＥ１）が除湿動作し、他方の素子（図６ではＥ２）が再生動作する。
【００８６】
従って、除湿・再生運転においては、一方の調湿素子Ｅ１において、給気通路Ｌｆがダンパーｄ１及びダンパーｄ５を開状態として形成されるとともに、排気通路Ｌｅがダンパーｄ９を開状態として形成され、調湿部Ｗを流れる空気を除湿する除湿動作が実行され、
他方の調湿素子Ｅ２において、室外空気排気循環通路Ｌｏａｒがダンパーｄ４及びダンパーｄ８を開状態とし、ダンパーｄ６を閉状態として、水分を吸着した状態にある吸湿剤６が水分を脱離して再生される再生動作が実行される。
この除湿・再生動作は、一対の調湿素子Ｅ１、Ｅ２間で交互に繰り返される。
【００８７】
再生・加湿運転
表２に、この再生・加湿運転時の各ダンパーｄ１〜ｄ１０の開閉状態を示した。また、この運転状態を図７に示した。
表２にあっては、最上段のダンパー欄に、ダンパーの符号を示し、その下の各枠内に、上側の調湿素子Ｅ１、下側の調湿素子Ｅ２、それぞれに備えられるダンパーｄ１〜ｄ１０の開閉状態を示した。
同一枠内で、上側の記載が上側の調湿素子Ｅ１に対して設けられるダンパーｄ１、ｄ３、ｄ５、ｄ７、ｄ９の開閉状態を示し、下側の記載が下側の調湿素子Ｅ２に対して設けられるダンパーｄ２、ｄ４、ｄ６、ｄ８、ｄ１０の開閉状態を示している。
【００８８】
【表２】
2018169055.tif 000004
【００８９】
従って、この運転状態では、一方の調湿素子Ｅ１において、当該調湿素子Ｅ１の調湿部Ｗを介する室外空気排気循環通路Ｌｏａｒ（太実線）と、当該調湿素子Ｅ１の冷却部Ｃを介する排気通路Ｌｅ（破線）とが形成されて除湿動作され、
他方の調湿素子Ｅ２において、当該調湿素子Ｅ２の調湿部Ｗを介する給気通路Ｌｆ（一点鎖線）が形成されて、他方の調湿素子Ｅ２が再生動作する状態で、室内空間Ｒを加湿する再生・加湿運転が実行される。
【００９０】
結果、特定の調湿素子Ｅ２に注目した場合に、室外空気ＯＡの保有する水分により室内空間Ｒを加湿することとなる。
【００９１】
第２実施形態
第１実施形態の図１、図２、図７に対応する図が、図８、図９、図１０である。
図９に示すように、この実施形態では、胴体１０１内の幅方向（図９の上下方向）の慨中央に調湿素子Ｅが位置され、この調湿素子Ｅの上側に、第１実施形態と同様に室外空間Ｏに繋がる通路Ｌ３が形成される一方、調湿素子Ｅの下側に室内空間Ｒに繋がる下側通路Ｌ４が形成されている。
【００９２】
この下側通路Ｌ４は、室内空間Ｒと調湿部Ｗとを、その入口Ｗｉｎ側で繋ぐ通路となっており、調湿部入口Ｗｉｎにダンパーｄ１１、ｄ１２が設けられている。
【００９３】
即ち、調湿素子Ｅの側壁２と胴体１０１の内壁との間に、排気通路Ｌｅの入口から調湿部入口Ｗｉｎに通じる下側通路Ｌ４が設けられ、この排気通路Ｌｅの入口から調湿部入口Ｗｉｎに流れる空気の量を調整する第６調整手段を構成するダンパーｄ１１、ｄ１２を備えている。
この実施形態の場合も、これらダンパーｄ１１、ｄ１２より調湿部入口Ｗｉｎ側の領域Ｚ１が、高さ方向区画面Ｗｃにより、調湿素子Ｅ１、Ｅ２それぞれに対応して分割形成されている。このＷｃで少なくとも分割される範囲を、図９に太破線で示した。
【００９４】
そして、ダンパーｄ５（ｄ６）、ダンパーｄ９（ｄ１０）を閉状態に、ダンパーｄ１１（ｄ１２）及びダンパーｄ７（ｄ８）を開状態として、室内空間Ｒから取り込んだ室内空気ＲＡを調湿部Ｗに通過させ、調湿部通過後の室内空気ＲＡを室外空間Ｏへ排気する通路を室内空気排気循環通路Ｌｒａｒとして形成可能とされている（太実線）。
【００９５】
第２実施形態における再生・加湿運転におけるダンパーｄの開閉状態を表２に対応して表３に示した。また、この運転状態を図１０に示した。
表３にあっては、最上段のダンパー欄に、ダンパーの符号を示し、その下の各枠内に、上側の調湿素子Ｅ１、下側の調湿素子Ｅ２、それぞれに備えられるダンパーｄ１〜ｄ１２の開閉状態を示した。
同一枠内で、上側の記載が上側の調湿素子Ｅ１に対して設けられるダンパーｄ１、ｄ３、ｄ５、ｄ７、ｄ９、ｄ１１の開閉状態を示し、下側の記載が下側の調湿素子Ｅ２に対して設けられるダンパーｄ２、ｄ４、ｄ６、ｄ８、ｄ１０、ｄ１２の開閉状態を示している。
【００９６】
【表３】
2018169055.tif 000005
【００９７】
即ち、第２実施形態では、第１実施形態の構成に加えて、室内空間Ｒから取り込んだ室内空気ＲＡを調湿部Ｗに通過させ、当該調湿部通過後の室内空気ＲＡを室外空間Ｏへ排気する室内空気排気循環通路Ｌｒａｒと形成可能とすることで、図１０に示すように、一方の調湿素子Ｅ１において、当該調湿素子Ｅ１の調湿部Ｗを介する室内空気排気循環通路Ｌｒａｒ（太実線）が形成され、他方の調湿素子Ｅ２において、当該調湿素子Ｅ２の調湿部Ｗを介する給気通路Ｌｆ（一点鎖線）が形成されて、他方の調湿素子Ｅ２が再生動作する状態で、室内空間Ｒを加湿する再生・加湿運転を実行することができる。
【００９８】
この再生・加湿運転は、これまでも説明してきたように、吸湿剤６の再生効率を高いものとできる。
【００９９】
〔別実施形態〕
上記実施形態では、調湿素子Ｅの構造及び空調システムの構造について具体例を挙げて説明したが、調湿素子Ｅの構造及び空調システム１００の構造は上述したものに限定されず、適宜変更可能である。
【０１００】
（１）例えば、調湿素子Ｅが有する第１誘導部材３及び第２誘導部材４の形状は上述した波形には限定されない。素子の厚み方向に設けられる仕切りとしてもよい。
他にも、波板部材５の断面の形状は上述したものから適宜変更可能である。例えば、上記実施形態では、波板部材５の断面の形状が滑らかな波形である例を示したが、断面が三角形や矩形などを一つの単位形状として、その単位形状が繰り返されるような波形に形成されてもよい。
【０１０１】
（２）また、上記実施形態では、調湿素子Ｅが合計３層の冷却部Ｃと合計２層の調湿部Ｗとが交互に積層された構造になっている例を説明したが、それらの層数は適宜変更可能である。
【０１０２】
（３）上記実施形態において、調湿部Ｗ及び冷却部Ｃに設けられている流入領域８、１１の形状及び範囲や、流出領域１０、１３の形状及び範囲は適宜変更可能である。
【０１０３】
（４）また、吸湿剤６は、調湿部Ｗに流入した第１空気が接触する全ての部分に設けなくてもよい。例えば、調湿部Ｗを構成する平板部材１の一方の表面のみに吸湿剤６を保持させること、或いは、調湿部Ｗを構成する第１波板部材５ａの両面のみに吸湿剤６を保持させることでも構わない。
（５）上記実施形態において、冷却部Ｃを構成する平板部材１の一方の表面には金属膜７を形成しているが、このような金属膜７を設けなくてもよい。
【０１０４】
（６）上記実施形態においては、除湿・再生運転、再生・加湿運転に関して述べたが、一方の調湿素子Ｅのみに、先に説明した給気通路Ｌｆ、排気通路Ｌｅを形成して、室内空気ＲＡを換気する換気運転を行うことも可能である。
【０１０５】
（７）上記実施形態においては、調湿素子Ｅの平面視形状について六角形状と延べたが、本発明のおける調湿素子Ｅの平面視形状は、一対の閉鎖側壁２と、調湿部入口Ｗｉｎ、出口Ｗｏｕｔ及び冷却部入口Ｃｉｎ、出口Ｃｏｕｔを構成できるものであればよく、正六角形状に限られない。さらに、六つの頂点が鋭角を成して交わる必要はない。
【０１０６】
（８）上記実施形態においては、空調システム１００の構築手法に関しては特に述べなかったが、先に記載した空調システム用設備機器を準備しておき、例えば、上下に重ねて構築することもできる。
【０１０７】
（９）上記実施形態においては、空調システム１００を構成する胴体１０１の長手方向端が直接、室外空間Ｏ、室内空間Ｒに面する構成としているが、空調システム１００の胴体の長手方向（例えば図２の横方向）に伸びる通路を設けて室外空間Ｏ、室内空間Ｒにつながる構成とされていてもよい。即ち、胴体の長手方向端が各空間に面している必要はない。
【符号の説明】
【０１０８】
６          吸湿剤
２２        ヒータ（昇温手段）
１００      空調システム
Ｃ          冷却部
ＣＮ        切換装置
ＣＡ        冷却用空気
Ｅ          調湿素子
Ｅ１        一方の調湿素子（調湿側）
Ｅ２        他方の調湿素子（再生側）
Ｆ１        第１ファン（給気手段）
Ｆ２        第２ファン（排気手段）
Ｌｆ        給気通路
Ｌｅ        排気通路
Ｌｏａｒ    室外空気排気循環通路
Ｌｒａｒ    室内空気排気循環通路
Ｏ          室外空間
ＯＡ        室外空気
Ｒ          室内空間
ＲＡ        室内空気
Ｗ          調湿部
ＷＡ        調湿対象の空気（空気）
ｄ          ダンパー（調整手段）
ｄ１〜１２  ダンパー（第１〜第６調整手段）
【図１】
2018169055.tif 000006
【図２】
2018169055.tif 000007
【図３】
2018169055.tif 000008
【図４】
2018169055.tif 000009
【図５】
2018169055.tif 000010
【図６】
2018169055.tif 000011
【図７】
2018169055.tif 000012
【図８】
2018169055.tif 000013
【図９】
2018169055.tif 000014
【図１０】
2018169055.tif 000015